(57)【要約】【課題】床面及び地面にタイルなどを敷き並べてタイル床を構築するに際し、タイルが丁度整数枚納まる広さのタイルの敷地面積や部品の必要数を容易に割出すことができるとともに、整然と見栄えの良い植栽をも可能とする活用方法を備え、二酸化炭素を低減にも貢献できる簡易組立て式のタイル枠を提供する。【解決手段】直線形状の部品にある４つの係止め穴６と４つの係止め突起９によって、部品の複数個を組み合わせ、直線あるいは直角に連結させてタイル１７などが丁度整数枚納まる広さの敷地面積と部品必要数を割出す。その後、Ｌ字形状の部品を組み合わせて略正方形もしくは長方形の枠を構成させて完成させ、タイル１７やブロックもしくは略筒状の部品を直線形状あるいはＬ字形状の部品に備わっている台座８ａ，８ｂに乗せる。尚、タイル１７やブロックは市場の汎用品をそのまま使用できるので、使用者が自由に選択でき、デザイン性も豊かである。略筒状の筒を使用した場合には、植物を植栽することも可能であるため二酸化炭素低減にも貢献できる。【選択図】図１
2012136922.tif 000002
【特許請求の範囲】
【請求項１】
床面及び地面にタイルなどを敷き並べてタイル床を構築するに際し、タイルが丁度整数枚納まる広さのタイルの敷地面を確定する前記床下及び地面において、４つの係止め穴と４つの係止め突起を持っている部品を複数個使用して嵌合させ、直線あるいは直角に連結させることにより、正方形もしくは長方形の枠を構成できる構造にあって、枠および枠に構成された床下及び地面への水抜き用の穴と枠の内側に収めるタイルなどが床面及び地面に直接触れないように底上げできる台座を設けていることを特徴とする簡易組立て式のタイル枠。
【請求項２】
請求項１に記載のタイル枠を構成する部品に、枠および枠に構成された床下及び地面への水抜き用の穴と枠の内側に収めるタイルなどが床面及び地面に直接触れないように底上げできる台座を設けたＬ字形状の部品を組み合わせ、略正方形もしくは長方形の枠を構成することを特徴とする簡易組立て式のタイル枠。
【請求項３】
請求項１及び請求項２のタイル枠を構成する部品において、床面に触れる場所には、水が溜まった場合に備え、排水用としての水抜き経路を設けたことを特徴とする簡易組立て式のタイル枠。
【請求項４】
請求項１及び請求項２のタイル枠を構成する部品において、地面に設置する場合には、隣接する範囲への根止めと土壌への部品の位置固定を目的とした楔を設けたことを特徴とする簡易組立て式のタイル枠。
【請求項５】
請求項１及び請求項２のタイル枠を構成する部品に、略筒状の部品を組み付けることにより、土壌を略筒状に直接入れて芝生や草花を植栽することが可能となる簡易組立て式のタイル枠。
【請求項６】
請求項１及び請求項２のタイル枠を構成する部品に、略平板状の部品を取り付けることにより、タイル枠からのタイルなどの高さ方向の突出量を調整するとともに、下面からの水や泥のはね返りを防止することを目的とした簡易組立て式のタイル枠。
【請求項７】
請求項１及び請求項２のタイル枠の構成部品の枠部分に、水が流れた際に水の流れを集約させるための凹凸や穴を設けたことを特徴とする簡易組立て式のタイル枠。
【発明の詳細な説明】
【技術分野】
【０００１】  本発明は、床面及び地面にタイルなどを敷き並べてタイル床を構築するに際し、作業を容易に可能とする枠体を提供するものである。
【背景技術】
【０００２】  図１７に従来のタイルユニットの概略構成図を示す。【０００３】  図１７において、Ａはタイルユニット本体であり、表面材ａはタイルで構成されている。
ユニットの周辺部に複数の嵌合用の凹部ｂ及び凸部ｃを有し、２辺は表面材ａより平面方向に一定幅で突出した凸部嵌合機構が設けられて、もう一方の２辺の内側に凹部嵌合機構が設けられている。【０００４】  従来、建築物内や、建築物の屋上あるいはベランダなど広さ、形状が各様の場所にカーペットや畳表などの敷物をユニット化したものが頻繁に使用されるようになっている。たとえば、特許文献１などでタイルユニットが提案されている。この組込みタイルユニットは、各ユニットの側縁部を連続した凹凸模様に切り込まれたもので、敷き詰めたときに隣接するタイルユニットとの継目である凹凸模様を表面層が覆うので、隣合う敷物との接合線ｄは直線をもって形成され、違和感がなく、落着いた雰囲気を演出できる構造となっている。
【特許文献１】実開平６−２８８０６２号公報
【発明の概要】
【発明が解決しようとする課題】
【０００５】  しかしながら、この嵌合用の凹部または凸部は、隣り合うタイルユニットの凸部または凹部を相互に嵌合し組み合わせているので、互いに干渉しあう関係により、タイルユニットの配置や数量を誤ってしまった場合もしくはタイルユニットの破損などにより交換が必要となった時には、組立てた順番を遡って再度の設置作業を実施しなければならないので、作業効率が悪くなってしまうという欠点があった。【０００６】  更に、ユニット化されているので、タイルのデザインが決められており、タイル材や木材などの汎用品を自由に選んで、デザインの拡充を図る事はできない。当然ながら、屋上、バルコニー、ベランダ、テラス、土間、コンクリート引きの廊下などにタイル敷設面とすることができるタイルユニットであり、地球温暖化対策に向けて、二酸化炭素の排出量低減として効果のある芝生や草花もしくは木などの植物を配列よく設置できるものではない。
【課題を解決するための手段】
【０００７】  本願の発明はこのような課題を解決するためになされ、その具体的解決手段として、従来のタイルユニットが、樹脂製のベースと、該ベース上に固着された複数枚のタイルとを備えていた構造から、樹脂製の枠体を分離し、枠体を先行して配置させる事で、レイアウト構成が容易で、作業効率も向上し、様々な種類のタイルやブロックあるいは小さな石などの汎用品を自由に選んで構成でき、植物をも枠体に組込むことができる構造としたものである。
【発明の効果】
【０００８】  タイルやブロックなどが破損、あるいはレイアウトを変更する時の再設置作業では、変更したい部分だけを交換する事ができ、外観の見栄えを机上での確認に頼ることなく現場を見ながら容易に向上させる事ができる。樹脂製の枠体は、タイルやブロックなどをモルタルなどで結合する目地と同様の外観となるので、自然な見栄えとなると共に、水が枠体の上面に溜まらないような構造となっている。
【図面の簡単な説明】
【０００９】
【図１】本発明の実施形態１におけるタイル枠Ａ本体の裏面からの斜視図
【図２】本発明の実施形態１におけるタイル枠Ａ本体の表面からの斜視図
【図３】本発明の実施形態１におけるタイル枠Ａ本体の側面図
【図４】本発明の実施形態１におけるタイル枠Ｂ本体の表面からの斜視図
【図５】本発明の実施形態１におけるタイル枠Ｂ本体の裏面からの斜視図
【図６】本発明の実施形態１における組立手順の表面からの斜視図
【図７】本発明の実施形態１における部品構成の表面からの斜視図
【図８】本発明の実施形態１の完成状態例における表面からの斜視図
【図９】本発明の実施形態１の完成状態例における断面図
【図１０】本発明の実施形態２におけるタイル枠Ａ本体の裏面からの斜視図
【図１１】本発明の実施形態２におけるタイル枠Ｂ本体の裏面からの斜視図
【図１２】本発明の実施形態２における部品構成の表面からの斜視図
【図１３】本発明の実施形態２における高さ調整部品の表面からの斜視図
【図１４】本発明の実施形態２の完成状態への過程例における表面からの斜視図
【図１５】本発明の実施状態２の完成状態例における表面からの斜視図
【図１６】本発明の実施形態３におけるタイル枠Ａ本体の表面からの斜視図
【図１７】従来のタイルユニットの概略構成図
【発明を実施するための形態】
【００１０】  以下、本発明のタイル枠の詳しい技術的構成を実施例に則して、かつ、図面を参照して具体的に説明する。
（実施形態１）
【００１１】  図面により、本発明を説明する。図１〜図９は、本発明の実施形態１のタイル枠を説明する図ある。図１は本発明の実施形態１におけるタイル枠Ａ本体の裏面からの斜視図であり、図２は本発明の実施形態１におけるタイル枠Ａ本体の表面からの斜視図であり、図３は本発明の実施形態１におけるタイル枠Ａ本体の側面図である。図４は本発明の実施形態１におけるタイル枠Ｂ本体の表面からの斜視図であり、図５は本発明の実施形態１におけるタイル枠Ｂ本体の裏面からの斜視図である。図６はタイル枠Ａとタイル枠Ｂを接合したときの組立手順を示すものである。図７〜図９は、本発明の実施形態１における部品構成と完成状態例である。
【００１２】  本発明の実施形態１において、平面用タイル枠Ａ本体１は主要な合成樹脂製の構成部材である。例えば、合成樹脂の単独、あるいは、木屑、炭酸カルシュウム、再生プラスチックス、などの充填剤を高配合させたＰＥ、ＰＰ、ポリアミドなどの可とう性のある合成樹脂、更には、耐候性安定剤や防虫剤などの添加剤を配合した合成樹脂、などの合成樹脂材で構成すればよい。また、可とう性や耐候性のあるステンレスなどの金属を使用してもよい。
【００１３】  平面用タイル枠Ａ本体１は、図１における係止め突起９が係止め穴６の位置まで図３のＴ３寸法が広げられることにより、押し込まれＴ３寸法に戻ることで係止めされる。尚、平面用タイル枠Ａ本体１を複数個使用することにより、直線あるいは直角に連結させることができる。具体的には、直線上に連結する場合は、第１の係止め突起９ａが第１の係止め穴６ａに嵌合し、第２の係止め突起９ｂが第２の係止め穴６ｂ、第３の係止め突起９ｃが第３の係止め穴６ｃ、第４の係止め突起９ｄが第４の係止め穴６ｄにそれぞれ嵌合する。尚、図３の本発明の実施形態１におけるタイル枠Ａ本体の側面図において、Ｔ１≦Ｔ３＜Ｔ２となる寸法関係として、Ｔ２とＴ３の寸法差分が干渉し、嵌合後の抜けを防止可能としている。また、前方止め突起４は、前方止め５に接し、直線上に連結する場合の入り込み過ぎを防止する構造となっている。
【００１４】  直角に連結する場合には、左側への曲がりもしくは右側への曲がりの２通りが実施可能になっている。左側へ曲がる連結の場合は、第１の係止め突起９ａが第３の係止め穴６ｃに嵌合し、第２の係止め突起９ｂが第１の係止め穴６ａ、第３の係止め突起９ｃが第４の係止め穴６ｄ、第４の係止め突起９ｄが第２の係止め穴６ｂにそれぞれ嵌合する。尚、前方止め突起４は、前方止め５ａに接し、左側へ直角に連結する場合の入り込み過ぎを防止する構造となっている。
【００１５】  右側へ曲がる連結の場合は、第１の係止め突起９ａが第２の係止め穴６ｂに嵌合し、第２の係止め突起９ｂが第４の係止め穴６ｄ、第３の係止め突起９ｃが第１の係止め穴６ａ、第４の係止め突起９ｄが第３の係止め穴６ｃにそれぞれ嵌合する。尚、前方止め突起４は、前方止め５ｂに接し、右側へ直角に連結する場合の入り込み過ぎを防止する構造となっている。直線及び直角に組立てることが可能であるため、平面用タイル枠Ａ本体１だけを使って、正方形あるいは長方形の枠を構成することもできる。尚、平面用タイル枠Ａ本体１への係止め突起９及び係止め穴６の構成角度を変更することにより、自由に曲がり角度を変更することも可能である。
【００１６】  図６は、本発明の実施形態１における組立手順の表面からの斜視図である。図６の（ａ）の状態は、平面用タイル枠Ａ本体１を直線上に３個連結し、左側へ直角に曲げた連結を実施した後、直線上に２個連結させている。その後、平面用タイル枠Ｂ本体１０の第１の結合突起１４ａが、平面用タイル枠Ａ本体１の第３の結合穴１５ｃに嵌り、平面用タイル枠Ｂ本体１０の第２の結合突起１４ｂが、平面用タイル枠Ａ本体１の第２の結合穴１５ｂにそれぞれ嵌り、図６の（ｂ）の状態となる。平面用タイル枠Ｂ本体１０を８個追加し、図６の（ｃ）の状態が完成する。平面用タイル枠Ｂ本体１０同志が結合する場合には、平面用タイル枠Ｂ本体１０の第１の結合突起１４ａが、第４の結合穴１６ａに嵌められ、第２の結合突起１４ｂが、第５の結合穴１６ｂに嵌められることで完成する。
【００１７】  使用部品数量の割出しは、図６より平面用タイル枠Ａ本体１を縦に３個、横に３個使用していることから、３×３となり平面用タイル枠Ｂ本体１０を９個使用する事がわかる。更に、タイル１７などが配置できる９つの枠のある空間が完成する事がわかる。尚、平面用タイル枠Ａ本体１を設置予定場所に配置することで、タイル床を完成させるのに必要とする平面用タイル枠Ｂ本体１０やタイル１７などの部品個数をはじめタイル床全体の設置範囲が簡単に割出しできるという優位点がある。
【００１８】  また、平面用タイル枠Ａ本体１にある水抜き穴７及び水抜き経路３、平面用タイル枠Ｂ本体１０にある水抜き穴１３及び水抜き経路１２は、水が浸入した際の水抜き経路となっている。例えば、タイル床上面に水がこぼれた場合、タイル１７から外周に水が流れ、タイル１７と平面用タイル枠Ａ本体１の枠２もしくは平面用タイル枠Ｂ本体１０の枠１１との間に流れ、水抜き穴７，１３を経由して水抜き経路３，１２を通過して、水が地面に落ちる構造となっている。
【００１９】  更に、水抜き経路３，１２は、タイル枠の間で、ほぼ同じ横軸位置に設置されており、水が排出されやすいようになっている。仮に、大量の水によって一時的に溜まることがある場合でも、平面用タイル枠Ａ本体１にある台座８ａ及び平面用タイル枠Ｂ本体１０にある台座８ｂによって、タイル１７の高さ位置を台座の高さ分だけ底上げしているため、水抜け空間が確保された構造によりタイル１７が浸水する可能性は極めて低くなっている。
【００２０】  例えば、腐食しやすい木材を使用した場合、直下置きの場合に比べ、使用耐久年数を大幅に長くできるものである。尚、水抜き経路３，１２は半円形状となっており、平面用タイル枠Ａ本体１及び平面用タイル枠Ｂ本体１０ともに、ほぼ同じ場所に貫通されている。パイプに温水などを通して水抜き経路３，１２に沿わせることにより、床暖房と同様の効果を得ることができる構造を実現することも可能となっている。
【００２１】  図７は、本発明の実施形態１における部品構成の表面からの斜視図であり、枠の構成部品である平面用タイル枠Ａ本体１、平面用タイル枠Ｂ本体１０。スロープ２２やスロープ角２３は、タイル１７の高さや枠の高さにある段差を解消する。尚、スロープ角２３は、その端部がスロープ２２の両サイドの内側に入り込み、スロープ２２は、スロープ係止め突起２２ａが平面用タイル枠Ａ本体１の水抜き穴７や平面用タイル枠Ｂ本体１０の水抜き穴１３に係止めされて固定される構造となっている。
【００２２】  図８の本発明の実施形態１の完成状態例における表面からの斜視図は、屋上、バルコニー、ベランダ、テラス、土間、コンクリート引きの廊下などの敷地面が平らで比較的固くなっている場所に使用できるものであり、平面用タイル枠Ａ本体１及び平面用タイル枠Ｂ本体１０にて構成される。枠内に使用できるものとしては、タイルや石材ブロック、木製タイル、人工芝、カーペットなどとなる。また、タイルや石材ブロック、木製タイルの市場汎用品として縦横における大きさは３００×３００ｍｍが最も多くの種類が揃っており、他に２００×２００ｍｍや４５０×４５０ｍｍ、６００×６００ｍｍなどがある。汎用品は正方形の形状のものが中心となっているものの、レンガなどの長方形の汎用品を複数個組み合わせて正方形として使用、あるいは、長方形用のタイル枠を構成することも当然ながら可能である。
【００２３】  また、図９の本発明の実施形態１の完成状態例における断面図にあるように、タイル１７の高さは、平面用タイル枠Ａ本体１及び平面用タイル枠Ｂ本体１０の枠高さより高くなる設定（寸法Ｄ）としている。市場汎用品におけるタイルなどの高さは、３０ｍｍ〜４５ｍｍのものが多く、タイル１７の重さによりタイル１７の底部が平面用タイル枠Ａ本体１の台座８ａや平面用タイル枠Ｂ本体１０の台座８ｂを常に押さえる状態となるので、平面用タイル枠Ａ本体１、平面用タイル枠Ｂ本体１０が浮き上がったりするなどの状態を防止している。
【００２４】  また、本発明では全ての構成部品が、組立式であるとともに分解も容易に可能な構造となっており、従来のタイルと合成樹脂にてユニット化した構造とはしていない。従来品では部品廃却時には解体作業による材料分別やサーマルリサイクルとしての再利用方法となっていた。本発明では、ユニット化ではなく単品形態であり、単一材料により、部品廃却後の再利用を容易にしている。更に、エコキャップ運動と連動して再資源化を実施することも可能な構造であり、地球温暖化対策に向けた二酸化炭素の排出低減に大きく貢献できるものである。
（実施形態２）
【００２５】  本発明の第２実施形態について図１０〜図１５を用いて説明する。尚、本発明の実施形態１と実施形態２の主な相違点は、図１０にあるガーデン用タイル枠Ａ本体１８にある楔２０及び図１１にあるガーデン用タイル枠Ｂ本体１９にある楔２１が追加されていることにある。従って、楔の機能以外について、図１０のガーデン用タイル枠Ａ本体１８は、平面用タイル枠Ａ本体１と同じであり、図１１のガーデン用タイル枠Ｂ本体１９は、平面用タイル枠Ｂ本体１と同じとなっている。尚、楔２０，２１にはガーデン用タイル枠Ａ本体１８とガーデン用タイル枠Ｂ本体１９の地面へ固定する機能の他に、芝生の根を止める役割を併せて持っている。
【００２６】  実施形態１は、屋上、バルコニー、ベランダなどの敷地面が平らで比較的固く変形しにくい場所に設置されるので、図１や図５のように水抜き経路３，１２が設けられ、底面が平らになっている。実施形態２は、庭や公園などの土壌３４となっている場所に設置される。従って、土壌３４に差し込んで使用する構造から楔２０，２１が設けられている。水抜き経路３，１２は土壌３４の排水環境の状況により、設定が必要な場合と必要としない場合があり、第２実施形態の図面からは取り除いている。図１２は、本発明の実施形態２における部品構成の表面からの斜視図となっている。
【００２７】  図１３は、本発明の実施形態２における高さ調整部品の表面からの斜視図である。本部品は、二つの機能を持っている。一つ目は、高さ寸法を調整する機能である。汎用品のタイル１７などの高さ寸法は、一般的な汎用品で最大で１５ｍｍ程の差があり、様々な種類のタイルをそのまま使用してしまった場合、凹凸のある外観により見栄えを悪化させてしまう。二つ目としては、地面からの水の跳ね上げによる泥汚れ対策及び雑草が伸びてしまうことの防止機能である。ガーデン用タイル枠Ａ本体１８とガーデン用タイル枠Ｂ本体１９で構成された枠の内側は、タイルなどを載せていない場合には、土壌３４のままになっている。
【００２８】  具体的には、ガーデン用タイル枠Ａ本体１８とガーデン用タイル枠Ｂ本体１９で構成された枠の内側に第１の底上げ板２４の位置決め突起２８，第２の底上げ板２５の位置決め突起２９が水抜き穴７，１３に嵌められるとともに、台座８ａ，８ｂの上に外周枠突起２６が接する状態となることから、二つの機能が実現できる。尚、図１３の（ｊ）の第１の底上げ板２４における外周枠突起２６の高さＨ１は、図１３の（ｋ）の第２の底上げ板２５における外周枠２７の高さＨ２より低くなっており、タイル１７などの高さ寸法の凹凸調整は、外周枠２７の高さを変えることで対応を可能となる。
【００２９】  また、土壌３４が露出する範囲の中で、台座８ａ，８ｂと第１の底上げ板２４及び第２の底上げ板２５は、台座の幅寸法Ｗ１，Ｗ２分が重なり合っているので、水の跳ね上げ対策や雑草の育成防止として、より効果的な構造となっている。更に、外周枠２７高さＨ３と外周枠突起２６の高さＨ２との寸法差が外周枠２７と台座８ａ，８ｂの間に隙間を構成させ、水の排出路としての機能を持たせている。底上げ板２４及び底上げ板２５の使用例としては、人工芝などを貼り付けたり、木粉を混ぜた人工木材などの樹脂を使用し、単体の状態のままでも自然な美観を保つような使用方法などがある。
【００３０】  ガーデン用タイル枠Ａ本体１８とガーデン用タイル枠Ｂ本体１９で構成された枠の角部分には、部品の組み合わせの寸法や嵌めあい公差により、僅かな隙間が出来てしまうものの、タイルやブロックなどの形が決まっているものを使用する場合には、そのまま使用可能である。しかしながら、芝生や草花もしくは木などの植物の場合には、土を使用するため、そのままの使用状態では、プランターのような使い方をすると土が漏れてしまい隣接するタイルなどを汚し、美観を損ねてしまうという問題がある。
【００３１】  図１４は、本発明の実施形態２の完成状態への過程例における表面からの斜視図であり、図１４（ｍ）のような筒状の部品やプランターそのものを使用することで、この問題を解決することが可能となる。例えば、図１４（ｎ）は筒状の部品である第１のガーデン筒３１ａ、第２のガーデン筒３１ｂ及び第３のガーデン筒３１ｃを使用している。また、９箇所の内、５箇所にはタイルを使用している。第３のガーデン筒３１ｃの高さｈ３は、タイルと同じ高さ位置となっており、例えば芝生を植えてタイルと同じ高さに揃えることもできる。
【００３２】  更に、楔２０，２１により芝根が隣接する範囲に侵すことなく、土壌直下に植えることができる優位点もあるので芝生育成にも良好な環境を整えることができ、見栄えもよく、手入れも容易にできるものとなる。尚、使用者が歩行に使用するタイルの高さ位置より高くすることができる第１のガーデン筒３１ａの高さｈ１及び、第２のガーデン筒３１ｂの高さｈ２には、花壇を実現するなどの植栽をすることにより、整然と配置された美しい庭が容易な作業で実現できる。
【００３３】  ガーデン筒３１は、ガーデン筒係止め突起３２の突起高さの距離分だけ筒の内側に撓んだ後、ガーデン筒係止め突起３２は、ガーデン用タイル枠Ａ本体１８の水抜き穴７及びガーデン用タイル枠Ｂ本体１９の水抜き穴１３に嵌合される構造となっている。所定の位置に係止めされることにより、ガーデン用タイル枠Ａ本体１８及びガーデン用タイル枠Ｂ本体１９とガーデン筒３１は、隙間ができないように嵌合されるので土の漏れを防止することが可能となる。
【００３４】  更に、ガーデン筒突起３３は、枠２，１１の上部の位置となり、枠への干渉による変形防止とガーデン筒３１の強度向上を実現している。使用材質については、合成樹脂の単独、あるいは、木屑、炭酸カルシュウム、再生プラスチックス、などの充填剤を高配合させたＰＥ、ＰＰ、ポリアミドなどの可とう性のある合成樹脂、更には、耐候性安定剤や防虫剤などの添加剤を配合した合成樹脂などで構成すればよい。また、可とう性や耐候性のあるステンレスなどの金属を使用してもよい。
【００３５】  図１５は、本発明の実施状態２の完成状態例における表面からの斜視図であり、本発明の実施形態２を具体的にイメージしたものである。ガーデン用タイル枠Ａ本体１８が、縦に１２個並び横に７個並んでいることから、ガーデン用タイル枠Ｂ本体１９を８４個使用し、タイル１７や木製タイル３５あるいはガーデン筒３１などの合計数が８４となるものである。使用者の歩行通路として、タイル１７が敷きつめられ、その周りにはガーデン筒３１が配置され、草花を植栽することができるレイアウトとなっている。
【００３６】  図１５のガーデン筒３１の中に、ホームセンターや花屋で販売されている小さなプランター付の草花をそのまま入れても美観を損なうことはない。何故なら、区画が整列されていることに加え、プランターの高さが１０ｍｍ前後と低く、ガーデン筒３１にプランターが隠れるので、綺麗な飾り付けをすることができる。
【００３７】  更に、本発明のタイル枠にガーデン筒３１に蓋を追加したり、市販の箱を設置した場合には、前記した花壇用のプランターとしての用途に加え、花檀作業用の用具、花檀用肥料などはもとより比較的容量が小さい一般用具の収納庫（物置き）などの囲み用箱となり、そのまま椅子としても活用できる。
（実施形態３）
【００３８】  本発明の第３実施形態について図１６を用いて説明する。尚、本発明の実施形態１と実施形態３の主な相違点は、図１６にある水流溝３０があることにある。水がこぼれた場合タイル１７から外周に水が流れ、タイル１７より低く設定されている平面用タイル枠Ａ本体１の枠２もしくは平面用タイル枠Ｂ本体１０の枠１１に流れ、水抜き穴７，１３を経由して水抜き経路３，１２を通過し、水が地面に落ちる構造となっている。このとき、水流溝３０を水抜き穴７，１３の上側に設けることで、より水の流れを水抜き穴７，１３から水抜き経路３，１２に通過し易くすることができる。
【産業上の利用可能性】
【００３９】  本発明は、直線形状のタイル枠ＡとＬ字形のタイル枠Ｂの二種類を組み合わせることにより、所定の大きさの枠を簡単に構成でき、枠体を先に配置させる事で、簡単にレイアウトを割出すことができる。タイル枠は、樹脂などの軽いものでできているので、設置作業も手軽で効率的に実施できるとともに、拡張やタイル変更にも容易に対応できる。【００４０】  本発明は、様々な種類のタイルやブロックの他に小さな石や人工芝あるいはカーペットなどの汎用品を使用者自身の選択で、自由に選ぶことができるので、デザイン性も豊かにできる利点がある。また、構成部品すべてが単品構成のため、材料の再利用が行い易く、資源の有効利用価値が高い。特に、植物育成を行う枠体を組込むこともできる構造となっているので、二酸化炭素の排出低減による地球温暖化対策としての効果を持つ有効な構造を手軽に実現することができる。
【符号の説明】
【００４１】１          ・・・・平面用タイル枠Ａ本体
２，１１    ・・・・枠
３，１２    ・・・・水抜き経路
４          ・・・・前方止め突起
５          ・・・・前方止め
６          ・・・・係止め穴
６ａ        ・・・・第１の係止め穴
６ｂ        ・・・・第２の係止め穴
６ｃ        ・・・・第３の係止め穴
６ｄ        ・・・・第４の係止め穴
７，１３    ・・・・水抜き穴
８ａ，８ｂ  ・・・・台座
９          ・・・・係止め突起
９ａ        ・・・・第１の係止め突起
９ｂ        ・・・・第２の係止め突起
９ｃ        ・・・・第３の係止め突起
９ｄ        ・・・・第４の係止め突起
１０        ・・・・平面用タイル枠Ｂ本体
１５        ・・・・結合穴
１７        ・・・・タイル（ブロック）
１８        ・・・・ガーデン用タイル枠Ａ本体
１９        ・・・・ガーデン用タイル枠Ｂ本体
２０，２１  ・・・・楔
２４        ・・・・第１の底上げ板
２５        ・・・・第２の底上げ板
２６        ・・・・外周枠突起
２７        ・・・・外周枠
２８，２９  ・・・・位置決め突起
３０        ・・・・水流溝
３１        ・・・・ガーデン筒
３２        ・・・・ガーデン筒係止め突起
３４        ・・・・土壌
【図１】
2012136922.tif 000003
【図２】
2012136922.tif 000004
【図３】
2012136922.tif 000005
【図４】
2012136922.tif 000006
【図５】
2012136922.tif 000007
【図６】
2012136922.tif 000008
【図７】
2012136922.tif 000009
【図８】
2012136922.tif 000010
【図９】
2012136922.tif 000011
【図１０】
2012136922.tif 000012
【図１１】
2012136922.tif 000013
【図１２】
2012136922.tif 000014
【図１３】
2012136922.tif 000015
【図１４】
2012136922.tif 000016
【図１５】
2012136922.tif 000017
【図１６】
2012136922.tif 000018
【図１７】
2012136922.tif 000019
【手続補正書】
【提出日】平成23年8月16日(2011.8.16)
【手続補正１】
【補正対象書類名】特許請求の範囲
【補正対象項目名】請求項１
【補正方法】変更
【補正の内容】
【請求項１】
床面及び地面にタイルなどを敷き並べてタイル床を構築するに際し、タイルが丁度整数枚納まる広さのタイルの敷地面を確定する前記床下及び地面において、３つ以上の係止め穴と２つ以上の係止め突起を持っている部品を複数個使用して嵌合させ、直線あるいは直角に連結させることにより、正方形もしくは長方形の枠を構成できる構造にあって、枠および枠に構成された床下及び地面への水抜き用の穴と枠の内側に収めるタイルなどが床面及び地面に直接触れないように底上げできる台座を設けていることを特徴とする簡易組立て式のタイル枠。
【手続補正書】
【提出日】平成23年11月21日(2011.11.21)
【手続補正１】
【補正対象書類名】特許請求の範囲
【補正対象項目名】全文
【補正方法】変更
【補正の内容】
【特許請求の範囲】
【請求項１】
床面及び地面にタイルなどを敷き並べてタイル床を構築するに際し、タイルが丁度整数枚納まる広さのタイルの敷地面を確定する床下及び地面において、平面用タイル枠Ａ本体１は、下側に開口する細長の第１の箱状部材１ａと、前記第１の箱状部材１ａの表面の幅方向中央より垂直に、且つ当該第１の箱状部材１ａの長さ方向に沿って立設された凸形状の枠２を備え、前記枠２の付け根には、凹形状の水抜き穴７が穿設されており、前記第１の箱状部材１ａの長さ方向における一方の端部は段差を有し箱状部材１ａの厚み寸法が薄くなっていると共に係止め突起９が設けられ、他方の端部は段差を有し箱状部材１ａの厚さ寸法が薄くなっていると共に係止め穴６が設けられ、前記枠２と前記係止め突起９は、互いに反対の面に立設され、前記平面用タイル枠Ａ本体１にある前記係止め突起９を他方の端部と枠２との間の空間に凹凸嵌合させ、前記平面用タイル枠Ａ本体１同士を連結すると共に、前記係止め突起９を前記係止め穴６を嵌合させ、前記平面用タイル枠Ａ本体１を直線あるいは直角に複数個連結する事により、正方形もしくは長方形の他に直線上と直角上に組み合わせた形状の枠体を構成することを特徴とする簡易組立て式のタイル枠。
【請求項２】
請求項１に記載のタイル枠を構成する部品において、平面用タイル枠Ｂ本体１０を組み込む構造であって、前記平面用タイル枠Ｂ本体１０の下側に開口するＬ字形状の第２の箱状部材１ｂと、前記第２の箱状部材１ｂの表面の幅方向中央より垂直に、且つ当該第２の箱状部材１ｂの長さ方向に沿って立設された凸形状の枠１１を備え、前記枠１１の付け根には、凹形状の水抜き穴１３が穿設されており、前記箱状部材１ａの長さ方向における前記枠１１の両端部には、前記枠１１の突出方向と反対側に結合突起１４が立設しており、平面用タイル枠Ａ本体１の一方の端部は段差を有し箱状部材１ａの厚み寸法が薄くなっている部位にある結合穴１５に前記結合突起１４を差し込み、略正方形もしくは長方形の枠体を構成することを特徴とする簡易組立て式のタイル枠。
【請求項３】
請求項１又は請求項２のタイル枠を構成する部品である前記平面用タイル枠Ａ本体１又は前記平面用タイル枠Ｂ本体１０において、下側に開口する前記第１の箱状部材１ａ又は前記第２の箱状部材１ｂには下端縁を切り欠いて形成される水抜き経路３又は１２が設けられていることを特徴とする簡易組立て式のタイル枠。
【請求項４】
請求項１又は請求項２のタイル枠を構成する部品である前記平面用タイル枠Ａ本体１又は前記平面用タイル枠Ｂ本体１０において、地面に刺して設置する場合には、隣接する範囲への根止めと土壌への部品の位置固定を目的とした楔２０又は２１は、前記第１の箱状部材１ａ又は前記第２の箱状部材１ｂを挟んで、其々前記枠２又は前記枠１１と互いに反対の面に突出されて設けられていることを特徴とする簡易組立て式のタイル枠。
【請求項５】
請求項１又は請求項２のタイル枠の構成部品の前記枠２又は前記枠１１の幅方向に、凹凸や穴を設けたことを特徴とする簡易組立て式のタイル枠。
【手続補正２】
【補正対象書類名】明細書
【補正対象項目名】００１２
【補正方法】変更
【補正の内容】
【００１２】  本発明の実施形態１において、平面用タイル枠Ａ本体１は、床面及び地面にタイルなどを敷き並べてタイル床を構築するに際し、タイルが丁度整数枚納まる広さのタイルの敷地面を確定する床下及び地面に敷くタイル枠であり、主要な合成樹脂製の構成部材である。例えば、合成樹脂の単独、あるいは、木屑、炭酸カルシュウム、再生プラスチックス、などの充填剤を高配合させたＰＥ、ＰＰ、ポリアミドなどの可とう性のある合成樹脂、更には、耐候性安定剤や防虫剤などの添加剤を配合した合成樹脂、などの合成樹脂材で構成すればよい。また、可とう性や耐候性のあるステンレスなどの金属を使用してもよい。
【手続補正３】
【補正対象書類名】明細書
【補正対象項目名】００１３
【補正方法】変更
【補正の内容】
【００１３】  平面用タイル枠Ａ本体１は、図１に示す形状であり、下側に開口する細長の第１の箱状部材１ａと、前記第１の箱状部材１ａの表面の幅方向中央より垂直に、且つ当該第１の箱状部材１ａの長さ方向に沿って立設された凸形状の枠２を備え、前記枠２の付け根には、凹形状の水抜き穴７が穿設されており、前記第１の箱状部材１ａの長さ方向における一方の端部は段差を有し箱状部材１ａの厚み寸法が薄くなっていると共に係止め突起９が設けられ、他方の端部は段差を有し箱状部材１ａの厚さ寸法が薄くなっていると共に係止め穴６が設けられ、前記枠２と前記係止め突起９は、互いに反対の面に立設され、前記平面用タイル枠Ａ本体１にある前記係止め突起９を他方の端部と枠２との間の空間に凹凸嵌合させ、係止め突起９が係止め穴６の位置まで図３のＴ３寸法が広げられることにより、押し込まれＴ３寸法に戻ることで係止めされる。前記係止め穴６に前記係止め突起９を嵌合させ、前記平面用タイル枠Ａ本体１を直線あるいは直角に複数個連結する事により、正方形もしくは長方形の他に直線上と直角上に組み合わせた形状の枠体を構成する事ができる。具体的には、直線上に連結する場合は、第１の係止め突起９ａが第１の係止め穴６ａに嵌合し、第２の係止め突起９ｂが第２の係止め穴６ｂ、第３の係止め突起９ｃが第３の係止め穴６ｃ、第４の係止め突起９ｄが第４の係止め穴６ｄにそれぞれ嵌合する。尚、図３の本発明の実施形態１におけるタイル枠Ａ本体の側面図において、Ｔ１≦Ｔ３＜Ｔ２となる寸法関係として、Ｔ２とＴ３の寸法差分が干渉し、嵌合後の抜けを防止可能としている。また、前方止め突起４は、前方止め５に接し、直線上に連結する場合の入り込み過ぎを防止する構造となっている。
【手続補正４】
【補正対象書類名】明細書
【補正対象項目名】００１５
【補正方法】変更
【補正の内容】
【００１５】  右側へ曲がる連結の場合は、第１の係止め突起９ａが第２の係止め穴６ｂに嵌合し、第２の係止め突起９ｂが第４の係止め穴６ｄ、第３の係止め突起９ｃが第１の係止め穴６ａ、第４の係止め突起９ｄが第３の係止め穴６ｃにそれぞれ嵌合する。尚、前方止め突起４は、前方止め５ｂに接し、右側へ直角に連結する場合の入り込み過ぎを防止する構造となっている。直線及び直角に組立てることが可能であるため、平面用タイル枠Ａ本体１だけを使って、正方形あるいは長方形の枠を構成することもできる。尚、平面用タイル枠Ａ本体１への係止め突起９及び係止め穴６の構成角度を変更することにより、自由に曲がり角度を変更することも可能である。図４及び５は、平面用タイル枠Ｂ本体１０を説明する図であり、平面用タイル枠Ｂ本体１０の下側に開口するＬ字形状の第２の箱状部材１ｂと、前記第２の箱状部材１ｂの表面の幅方向中央より垂直に、且つ当該第２の箱状部材１ｂの長さ方向に沿って立設された凸形状の枠１１を備え、前記枠１１の付け根には、凹形状の水抜き穴１３が穿設されており、前記箱状部材１ａの長さ方向における前記枠１１の両端部には、前記枠１１の突出方向と反対側に結合突起１４が突出している。
【手続補正５】
【補正対象書類名】明細書
【補正対象項目名】００１６
【補正方法】変更
【補正の内容】
【００１６】  図６は、本発明の実施形態１における組立手順の表面からの斜視図である。図６の（ａ）の状態は、平面用タイル枠Ａ本体１を直線上に３個連結し、左側へ直角に曲げた連結を実施した後、直線上に２個連結させている。平面用タイル枠Ｂ本体１０に設けられている前記結合突起１４を平面用タイル枠Ａ本体１の一方の端部は段差を有し箱状部材１ａの厚み寸法が薄くなっている部位にある結合穴１５に差し込み、略正方形もしくは長方形の枠体を構成する。具体的には、平面用タイル枠Ｂ本体１０の第１の結合突起１４ａが、平面用タイル枠Ａ本体１の第３の結合穴１５ｃに嵌り、平面用タイル枠Ｂ本体１０の第２の結合突起１４ｂが、平面用タイル枠Ａ本体１の第２の結合穴１５ｂにそれぞれ嵌り、図６の（ｂ）の状態となる。平面用タイル枠Ｂ本体１０を８個追加し、図６の（ｃ）の状態が完成する。平面用タイル枠Ｂ本体１０同志が結合する場合には、平面用タイル枠Ｂ本体１０の第１の結合突起１４ａが、第４の結合穴１６ａに嵌められ、第２の結合突起１４ｂが、第５の結合穴１６ｂに嵌められることで完成する。
【手続補正６】
【補正対象書類名】明細書
【補正対象項目名】００１８
【補正方法】変更
【補正の内容】
【００１８】  また、平面用タイル枠Ａ本体１にある水抜き穴７及び、平面用タイル枠Ｂ本体１０にある水抜き穴１３は、水が浸入した際の水抜き経路となっており、水抜き穴７及び、１３から入り込んだ水は、平面用タイル枠Ａ本体１又は平面用タイル枠Ｂ本体１０において、下側に開口する前記第１の箱状部材１ａ又は前記第２の箱状部材１ｂの下端縁を切り欠いて形成される水抜き経路３又は１２が設けられている場所から床面や地面に排出される。例えば、タイル床上面に水がこぼれた場合、タイル１７から外周に水が流れ、タイル１７と平面用タイル枠Ａ本体１の枠２もしくは平面用タイル枠Ｂ本体１０の枠１１との間に流れ、水抜き穴７，１３を経由して水抜き経路３，１２を通過して、水が地面に落ちる構造となっている。
【手続補正７】
【補正対象書類名】明細書
【補正対象項目名】００２５
【補正方法】変更
【補正の内容】
【００２５】  本発明の第２実施形態について図１０〜図１５を用いて説明する。尚、本発明の実施形態１と実施形態２の主な相違点は、図１０にあるガーデン用タイル枠Ａ本体１８にある楔２０及び図１１にあるガーデン用タイル枠Ｂ本体１９にある楔２１が追加されていることにある。従って、楔の機能以外について、図１０のガーデン用タイル枠Ａ本体１８は、平面用タイル枠Ａ本体１と同じであり、図１１のガーデン用タイル枠Ｂ本体１９は、平面用タイル枠Ｂ本体１０と同じとなっている。平面用タイル枠Ａ本体１又は平面用タイル枠Ｂ本体１０において、地面に刺して設置する場合には、隣接する範囲への根止めと土壌への部品の位置固定を目的とした楔２０又は２１は、第１の箱状部材１ａ又は第２の箱状部材１ｂを挟んで、其々前記枠２又は１１と互いに反対の面に突出されて設けられている
尚、楔２０，２１にはガーデン用タイル枠Ａ本体１８とガーデン用タイル枠Ｂ本体１９の地面へ固定する機能の他に、芝生の根を止める役割を併せて持っている。
【手続補正８】
【補正対象書類名】明細書
【補正対象項目名】００３８
【補正方法】変更
【補正の内容】
【００３８】  本発明の第３実施形態について図１６を用いて説明する。尚、本発明の実施形態１と実施形態３の主な相違点は、図１６にある平面用タイル枠Ａ本体１において、タイル枠の構成部品の枠２の幅方向には、水が流れた際に水の流れを集約させるための凹凸や穴を設けた水流溝３０があることにある。平面用タイル枠Ｂ本体１０の場合には、枠１１の幅方向に、設けられる。水がこぼれた場合タイル１７から外周に水が流れ、タイル１７より低く設定されている平面用タイル枠Ａ本体１の枠２もしくは平面用タイル枠Ｂ本体１０の枠１１に流れ、水抜き穴７，１３を経由して水抜き経路３，１２を通過し、水が地面に落ちる構造となっている。このとき、水流溝３０を水抜き穴７，１３の上側に設けることで、より水の流れを水抜き穴７，１３から水抜き経路３，１２に通過し易くすることができる。
【手続補正９】
【補正対象書類名】明細書
【補正対象項目名】００４１
【補正方法】変更
【補正の内容】
【００４１】１          ・・・・平面用タイル枠Ａ本体
１ａ        ・・・・第１の箱状部材
１ｂ        ・・・・第２の箱状部材
２，１１    ・・・・枠
３，１２    ・・・・水抜き経路
４          ・・・・前方止め突起
５          ・・・・前方止め
６          ・・・・係止め穴
６ａ        ・・・・第１の係止め穴
６ｂ        ・・・・第２の係止め穴
６ｃ        ・・・・第３の係止め穴
６ｄ        ・・・・第４の係止め穴
７，１３    ・・・・水抜き穴
８ａ，８ｂ  ・・・・台座
９          ・・・・係止め突起
９ａ        ・・・・第１の係止め突起
９ｂ        ・・・・第２の係止め突起
９ｃ        ・・・・第３の係止め突起
９ｄ        ・・・・第４の係止め突起
１０        ・・・・平面用タイル枠Ｂ本体
１４        ・・・・結合突起
１５        ・・・・結合穴
１７        ・・・・タイル（ブロック）
１８        ・・・・ガーデン用タイル枠Ａ本体
１９        ・・・・ガーデン用タイル枠Ｂ本体
２０，２１  ・・・・楔
２４        ・・・・第１の底上げ板
２５        ・・・・第２の底上げ板
２６        ・・・・外周枠突起
２７        ・・・・外周枠
２８，２９  ・・・・位置決め突起
３０        ・・・・水流溝
３１        ・・・・ガーデン筒
３２        ・・・・ガーデン筒係止め突起
３４        ・・・・土壌
【手続補正１０】
【補正対象書類名】図面
【補正対象項目名】図２
【補正方法】変更
【補正の内容】
【図２】
2012136922.tif 000020
【手続補正１１】
【補正対象書類名】図面
【補正対象項目名】図４
【補正方法】変更
【補正の内容】
【図４】
2012136922.tif 000021